(57)【要約】【課題】本発明は搬送途中の側壁を掃除することを課題としている。【解決手段】製茶用垂直バケットコンベヤの側壁の一部に無端帯ベルトを設けることを特徴とする製茶用垂直バケットコンベヤ。【選択図】図１
2020059577.tif 000002
【特許請求の範囲】
【請求項１】
製茶用垂直バケットコンベヤの側壁の一部に無端帯ベルトを設けることを特徴とする製茶用垂直バケットコンベヤ。
【請求項２】
前記無端帯ベルトのみを通過させ開口部を設けることを特徴とする請求項１記載の製茶用垂直バケットコンベヤ。
【請求項３】
前記無端帯ベルトに駆動手段を設けることを特徴とする請求項１または２記載の製茶用垂直バケットコンベヤ。
【請求項４】
前記無端帯ベルトの付着物の除去手段を設けることを特徴とする請求項１、２または３記載の製茶用垂直バケットコンベヤ。
【発明の詳細な説明】
【技術分野】
【０００１】
本発明は、製茶工場に設置されている製茶用垂直バケットコンベヤに関するものである。
【背景技術】
【０００２】
製茶工場では、製茶機械と製茶機械との間を搬送装置で接続しており、その搬送装置には、製茶用垂直バケットコンベヤが欠かせない。従来の製茶用垂直バケットコンベヤは、バケットに茶葉を載せ、そのバケットを略垂直なコンベヤで下から上へ搬送するものであり、その搬送部の周囲に側壁を設けている。（図９参照）
【０００３】
近年、製茶工場において一般生菌をはじめとする雑菌の増殖を抑制することが課題となっており、製造される茶製品に対する生菌数のオーダーをコントロールすることが生産者の課題である。この生菌を増殖させる要因の一部に製茶機械の掃除不足があげられる。通常の製茶機械は、熱風を送風して茶葉を乾燥するため、生菌の発生を抑えられるが、熱風を供給しない搬送装置では生菌の発生を抑えられない。
【０００４】
製茶用垂直バケットコンベヤの側壁は閉鎖されており、側壁内は目視と掃除ができず、常に搬送残留物が付着した状態となり、不衛生で、菌の温床と化してしまう場合があった。水洗いなどで洗い流すことはできるが、目視できないため、その効果を確認することはできなかった。
【０００５】
従来は、特許文献１のような製茶用垂直バケットコンベヤの最下端の底部を掃除するための掃除蓋があり、製茶終了後、その掃除蓋を開いて底部を掃除していた。特許文献２のような葉浚掃を取付けて、ハウジングの底面を掃除しているものもあった。従来の技術は最下端を掃除するものであり、側壁を掃除するものではなかった。
【先行技術文献】
【特許文献】
【０００６】
【特許文献１】実開昭６０―１０３１１８号公報
【特許文献２】実開昭５７−１２６４１３号公報
【発明の概要】
【発明が解決しようとする課題】
【０００７】
特許文献１、２ともに、製茶用垂直バケットコンベヤの最下端しか掃除をすることはできなかった。最下端を掃除することはもちろん必要であるが、それ以外の搬送途中の側壁も掃除することも望まれていた。よって本発明は搬送途中の側壁を掃除することを課題としている。
【課題を解決するための手段】
【０００８】
本発明の第１手段は、製茶用垂直バケットコンベヤの側壁の一部に無端帯ベルトを設けることを特徴とする製茶用垂直バケットコンベヤ。
本発明の第２手段は、上記第１手段において、前記無端帯ベルトのみを通過させ開口部を設ける。
本発明の第３手段は、上記第１または２手段において、前記無端帯ベルトに駆動手段を設ける。
本発明の第４手段は、上記第１、２または３手段において、前記無端帯ベルトの付着物の除去手段を設ける。
【発明の効果】
【０００９】
本発明の装置の側壁に設けたベルトコンベヤのベルトを動かすことにより、側壁内部を外側へ持ってきて目視することができ、茶葉の付着具合を監視することができ、外側に移動した汚れたベルト面を直接掃除できる。製茶用垂直バケットコンベヤの外側に汚れた部分を出して掃除するため、製茶用垂直バケットコンベヤの内部を汚さずに掃除することができる。
【００１０】
本発明の請求項２により、元の側壁の開口面を少なくすることができ、開口面から茶葉がこぼれることがなくなる。本発明の請求項３により、ベルトが駆動手段により自動で動き、容易に掃除することができる。本発明の請求項４により、無端帯ベルトを回転するだけで、自動的に無端帯ベルトに付着した付着物を除去することができる。
【図面の簡単な説明】
【００１１】
【図１】図１は製茶用垂直バケットコンベヤを示した斜視説明図である。
【図２】図２は製茶用垂直バケットコンベヤを示した斜視説明図である。
【図３】図３は製茶用垂直バケットコンベヤを示した断面説明図である。
【図４】図４は製茶用垂直バケットコンベヤを示した断面説明図である。
【図５】図５は製茶用垂直バケットコンベヤの実施例を示した一部詳細説明図である。
【図６】図６は製茶用垂直バケットコンベヤの実施例を示した一部詳細説明図である。
【図７】図７は製茶用垂直バケットコンベヤの時間経過を示した一部詳細説明図である。
【図８】図８は製茶ラインを示した説明図である。
【図９】図９は従来の製茶用垂直バケットコンベヤを示した説明図である。
【発明を実施するための形態】
【００１２】
図１〜図３に製茶用垂直バケットコンベヤの全体図を示す。製茶用垂直バケットコンベヤは、下方の受入口７から茶葉１０を受け入れ、上方の排出口８から茶葉１０を排出する。内部は上下にベルトコンベヤ２が設けられ、そのベルトコンベヤ２のベルト２Ａに茶葉１０を載せるバケット１を複数個取り付けてある。内部のベルトコンベヤ２はモーター５によって駆動している。バケット１のついたベルトコンベヤ２の周囲は側壁６によって囲われている。この側壁６の一部に開口部を設け、無端帯ベルト１２を設ける。この無端帯ベルト１２は側壁のごく一部でも、大半を占めてもよい。この時、図５に示す実施例のように、無端帯ベルト１２が通過する部分のみ開口部とする場合（Ａ）（Ｃ）（Ｄ）や、無端帯ベルト１２が側壁の代わりとなる部分をすべて開口部とする場合（Ｂ）など、いずれでもよい。また、図５の実施例は上下に移動する無端帯ベルト１２であったが、図６の実施例のように横に移動する無端帯ベルト１２でもよい。
【００１３】
無端帯ベルト１２の端部にはプーリー１３を有しており、手で引っ張ることにより無端帯ベルト１２を容易に回転させることができる。これにより、いつでも、どの程度でも無端帯ベルト１２を回転させることができる。無端帯ベルト１２のプーリー１３に駆動手段であるモーター(図示しない)を接続して、モーターによって駆動させることもできる。モーターで駆動することにより、手で引っ張るよりさらに容易に無端帯ベルト１２を回転させることができる。定期的にモーターを駆動したり、超低速で常時無端帯ベルト１２を回転させたりすることが可能である。
【００１４】
本実施例の製茶用垂直バケットコンベヤ２１の動きについて説明する。下方の受入口７から入ってきた茶葉１０をバケット１ですくい上げ、茶葉１０をバケット１にのせて、バケット１がベルトコンベヤ２の動きにつれて、上方へ移動する。このとき、バケット１からはみ出た茶葉が側壁６の内側に付着することや、上方から落ちてきた茶葉が側壁６の内側に付着することがある。図７のように、最初は何も付着していない無端帯ベルト１２に茶葉１０等の付着物が付着したころ、無端帯ベルト１２を回転して、茶葉１０が付着しているベルト２Ａ面を製茶用垂直バケットコンベヤ２１の外側へ移動させ、製茶用垂直バケットコンベヤ２１の外側で汚れたベルト２Ａを掃除する。掃除方法は、（ａ）スクレーパー１７やブラシなどの除去手段でこすり取る、（ｂ）布などの掃除道具１６で拭き取る、（ｃ）水またはアルコール、エアーなどを吹き付ける、等の様々な方法から、汚れ具合などにより選択する。スクレーパー１７やブラシなどを製茶用垂直バケットコンベヤ２１の側壁６へ固定すれば、モーターで自動的に無端帯ベルト１２を動かす時にも利用しやすい。
【００１５】
上記のような装置は、製茶用垂直バケットコンベヤ２１の側壁６の外側で清掃するため、製茶用垂直バケットコンベヤ２１の側壁６の内側に除去したゴミを落とすことがなく、製茶して製茶用垂直バケットコンベヤ２１にて茶葉１０を搬送中でも、製茶用垂直バケットコンベヤ２１を停止することなく清掃が可能である。
【符号の説明】
【００１６】
１    バケット
２    ベルト
３    プーリー
４    シャフト
５    モーター
６    側壁
７    受入口
８    排出口
９    底部
１０    茶葉
１２    無端帯ベルト
１３    プーリー
１４    シャフト
１６    掃除道具
１７    スクレーパー
１８    ノズル
２１    製茶用垂直バケットコンベヤ
２２    コンベヤ
２３    製茶機械
【図１】
2020059577.tif 000003
【図２】
2020059577.tif 000004
【図３】
2020059577.tif 000005
【図４】
2020059577.tif 000006
【図５】
2020059577.tif 000007
【図６】
2020059577.tif 000008
【図７】
2020059577.tif 000009
【図８】
2020059577.tif 000010
【図９】
2020059577.tif 000011